(57)【要約】石膏プラスタボードのための最近の乾燥装置は搬送装置を有している。この搬送装置は、階層状に重なり合って配置された複数のローラコンベヤ（１）から成っている。乾燥区間は一般的に複数のゾーン（３〜７）、特に長手方向で通気される３つのゾーン（４〜６）、しかも、２つの高温ゾーン（４，５）と、これに続く１つの低温ゾーン（６）とに分割されている。前置された製作装置の高い生産量および必要となる長い滞留時間のため、乾燥装置は極めて長く形成されている。本発明によれば、高温ゾーン（４，５）において個々のローラコンベヤ（１）の上方にかつ下方に黒色の板（１９）が配置されている。この板（１９）はローラコンベヤ（１）の幅にわたって延びている。板（１９）は、沿って流れる乾燥空気によってしか、上昇させられた温度にもたらされず、放射線によって付加的に熱を、通走する石膏プラスタボード（１６）に伝達する。高められた熱伝達数によって、乾燥装置をより短く形成することが可能となる。
2005503279.tif 000002
【特許請求の範囲】
【請求項１】
通走する石膏プラスタボードを乾燥させるための装置であって、
以下の特徴：すなわち、
階層状に重なり合って配置された複数のローラコンベヤ（１）を有する搬送装置に沿って複数のゾーン（２〜７）が並列させられており；
少なくとも２つのゾーン（４，５，６）が、端領域において、通走方向（２）に対して平行に方向付けられた乾燥空気流を供給しかつ導出するためのノズル装置（９，１７）を個々のローラコンベヤ（１）の上方にかつ下方に装備しており；
ノズル装置（９，１７）が、空気・熱技術的なシステムに接続されており、該システムによって、個々の各ゾーン（２〜７）に、個別の温度を伴った乾燥空気が供給可能であり；
少なくとも１つの高温ゾーン（４，５）を有する区分に低温ゾーン（６）が続いており；
が設けられている形式のものにおいて、
以下の別の特徴：すなわち、
少なくとも１つの高温ゾーン（４，５）において、ノズル装置（９，１７）の間の領域で個々のローラコンベヤ（１）の上方にかつ下方に板（１９）が配置されており、該板（１９）が、ローラコンベヤ（１）の幅にわたって延びている；
が設けられていることを特徴とする、通走する石膏プラスタボードを乾燥させるための装置。
【請求項２】
連続する２つの高温ゾーン（４，５）に１つの低温ゾーン（６）が続いており、両高温ゾーン（４，５）が、板（１９）を装着している、請求項１記載の装置。
【請求項３】
両高温ゾーン（４，５）しか板（１９）を装着していない、請求項２記載の装置。
【請求項４】
板（１９）が、被覆層を備えており、該被覆層の放出係数が１の近くにある、請求項１から３までのいずれか１項記載の装置。
【請求項５】
板（１９）が、中空室を備えていない、請求項１から４までのいずれか１項記載の装置。
【請求項６】
特に波形薄板から成る、波形に成形された板（１９ａ）が設けられている、請求項５記載の装置。
【請求項７】
台形のエンボス加工部を備えた薄板から成る板（１９ｂ）が設けられている、請求項５記載の装置。
【請求項８】
平らな板（１９ｃ）、特に薄板が設けられている、請求項５記載の装置。
【請求項９】
板（１９ｄ）が、密接に隣接した平行な複数のＵ形材から形成されている、請求項５記載の装置。
【請求項１０】
各板（１９ｅ）が、緊締フレーム（２２）と、該緊締フレーム（２２）内に張設された、耐熱性の繊維、特に炭素繊維から成る織物マット（２１）とから成っている、請求項５記載の装置。
【請求項１１】
板（１９ｆ）が、密接して相並んで位置する平行な複数の管から形成されている、請求項１から４までのいずれか１項記載の装置。
【請求項１２】
管が、両端部で開放している、請求項１１記載の装置。
【請求項１３】
１つの階層の、隣り合った２つの板（１９）の間にギャップ（２０）が設けられている、請求項１から１２までのいずれか１項記載の装置。
【発明の詳細な説明】
【技術分野】
【０００１】
本発明は、請求項１の上位概念部に記載した形式の、石膏プラスタボードを乾燥させるための装置に関する。
【０００２】
本発明は、本「Ｔｒｏｃｋｎｕｎｇｓｔｅｃｈｎｉｋ，３．Ｂａｎｄ，Ｔｒｏｃｋｎｅｎ  ｕｎｄ  Ｔｒｏｃｋｎｅｒ  ｉｎ  ｄｅｒ  Ｐｒｏｄｕｋｔｉｏｎ」（Ｋ．ＫｒｏｅｌｌおよびＷ．Ｋａｓｔ著  出版社Ｓｐｒｉｎｇｅｒ  １９８９年  第４８９〜４９３頁）に記載される装置から出発する。この箇所に詳しく論究されるように、一般的には石膏ボードと呼ばれる石膏プラスタボードを乾燥させるための最近の装置は乾燥特性の特殊性に基づき複数のゾーンに分割されている。１つの概略図には、前乾燥ゾーンと、２つの高温ゾーンと、低温ゾーンと、冷却ゾーンとを備えた装置が示してある。両高温ゾーンに対して乾燥空気の流入温度は２５０℃であり、低温ゾーンに対して乾燥空気の流入温度は１６０℃である。流出温度は１４０℃もしくは９５℃である。
【０００３】
石膏プラスタボード乾燥器は、通常、多階層乾燥器として形成されている。これは、乾燥装置の収容能力を、前置された製作装置の生産量（一般的に１時間あたり１０００ｍ２よりも多い）に適合させるために必要となる。材料の、必要となる長い滞留時間（２０〜６０分）のため、乾燥装置の長さは極めて大きく寸法設定されている。この長さは１００ｍ以上であり得る。両高温ゾーンは、たとえばそれぞれ２０〜２５ｍの長さに形成されており、低温ゾーンは４０〜５０ｍに形成されている。
【０００４】
上位概念部の特徴を備えた別の乾燥装置は、ドイツ連邦共和国特許第４３２６８７７号明細書に基づき公知である。この公知の装置は、１つの前乾燥ゾーンと、２つの高温ゾーンと、１つの低温ゾーンとを有している。この低温ゾーンは、個々のローラコンベヤの上方にかつ下方に組み込まれた板状の熱交換器を装備している。各熱交換器は、たとえば相並んで位置する幾つかの管から成っている。これらの管は通走方向に対して平行に延びていて、横方向に延びる集合器によって互いに接続されている。しかし、熱交換器はプレートから成っていてもよい。このプレートは、たとえば部分的に並置されている。中空体として形成された熱交換器の内部には、両高温ゾーンの廃空気が供給される。この廃空気は、たとえば１７０度の温度を有している。熱は、低温ゾーンで熱交換器の外面を向流で擦過する乾燥空気を介して間接的にも、熱交換器の放射によって直接的にも、通走する石膏プラスタボードに伝達される。これによって、高温ゾーンの廃熱が最適に使用され、乾燥装置の熱需要が僅かに保たれる。
【０００５】
後者の刊行物（ドイツ連邦共和国特許第４３２６８７７号明細書）には、低温ゾーンに関連して、乾燥空気を供給するためのノズル装置も開示されている。このノズル装置は、主として、フラットなプレート状の中空体の形の幾つかのノズルから成っている。これらのノズルは、スタック状に重なり合って配置されて、個々のローラコンベヤの間に設けられている。各中空体は側方のスリットを介して分配器もしくは集合器に接続されていて、内部に案内薄板を備えている。この案内薄板は、通走方向に対して横方向で流入する乾燥空気を９０゜だけ変向させるので、この乾燥空気は端面側のスリットを通って通走方向に対して平行に流出する。
【０００６】
本発明の課題は、請求項１の上位概念部の特徴を有する、石膏プラスタボードを乾燥させるための装置において、少なくとも一方の高温ゾーンにおいて、乾燥空気から、処理したいボードへの熱伝達を改善し、これによって、装置の短縮を可能にすることである。
【０００７】
この課題は、請求項１の特徴部に記載の特徴によって解決される。
【０００８】
請求項１の特徴部に記載した板は、沿って流れる熱い乾燥空気によってしか、通走する石膏プラスタボードの温度よりも著しく高い温度に加熱されない。温度差に相応して、熱が放射によって板から石膏プラスタボードに伝達される。放射によって生ぜしめられる付加的な熱伝達は種々異なるパラメータ、しかも、特に温度に関連している。この温度は、計算および実験が明らかにしたように、乾燥空気の温度に対してほぼ線形に増加する。１つの高温ゾーンに対して典型的な平均的な２００℃の温度では、約２０％の熱伝達数の増加を達成することができる。純然たる対流熱伝達において熱伝達数が約４０Ｗ／ｍ２Ｋであることから出発すると、放射効果は約５０Ｗ／ｍ２Ｋに上昇する。これによって、たとえば４２ｍの全長を備えた２つの高温ゾーンを有する乾燥装置で約８ｍ短く形成することが可能となる。乾燥装置が、通常のように、２〜２．５ｍの長さの複数のフィールドから形成されている場合には、こうして、３〜４つのフィールドを節約することができる。
【０００９】
請求項２によれば、２つの高温ゾーンと１つの低温ゾーンとへの装置の実際に信頼できる分割時には、両高温ゾーンが本発明により板を装着している。
【００１０】
低温ゾーンでの付加的な熱伝達効果が乾燥空気の僅かな流速によって助成されるにもかかわらず、熱伝達効果は温度依存のため著しく低い。したがって、本発明による板に対して手間をかけるかいがあるかどうかがケースバイケースで決定され得る。最初、低温ゾーンの長さは、必要となる滞留時間に関連しているので、多くの事例において、いずれにせよ短縮は考慮されない。したがって、請求項３によれば、板が低温ゾーンに設けられていない。しかし、低温ゾーンが本発明により板を装備していることも有利であり得る。この板は、低温ゾーンに供給される乾燥空気の温度の低下を可能にする。
【００１１】
板の表面の放出係数は本発明による効果に著しい影響を与える。したがって、請求項４によれば、板が「黒色」の被覆層、すなわち、少なくとも熱伝達に対して重要となる、１に近い波長領域にある放出係数を備えた被覆層を備えている。
【００１２】
請求項５によれば、板が、有利には中空室、特に外部から供給される熱交換媒体のための通路を備えていない。これによって、板は、すでにドイツ連邦共和国特許第４３２６８７７号明細書により低温ゾーンに取り付けられた板状の熱交換器と著しく異なっている。
【００１３】
それぞれただ１つの材料層からしか成っていない板の幾つかの実施例が請求項６〜１０に記載してある。
【００１４】
請求項１１および１２によれば、板は、密接して相並んで位置する平行な管から形成することができる。しかし、これらの管は外側の加熱媒体回路に接続されていない。管は、本発明の枠内では、高い機械的な安定性を有していて、請求項１２記載の構成では、沿って流れる乾燥空気に、拡大された表面を提供するという利点を有している。
【００１５】
請求項１３の特徴によって、乾燥器の清浄化が容易になる。
【００１６】
以下に、本発明の実施例を図面につき詳しく説明する。
【００１７】
図１に示した乾燥装置の全長にわたって搬送装置が延びている。この搬送装置は、階層状に重なり合って配置された複数のローラコンベヤ１、実際には、たとえば１０〜１２基のローラコンベヤ１から成っている。通走方向は矢印２によって示してある。搬送装置に沿って、通走方向２で連続して複数のゾーン、しかも、前乾燥ゾーン３と、第１の高温ゾーン４と、第２の高温ゾーン５と、低温ゾーン６と、冷却ゾーン７とが配置されている。各ゾーンは固有のハウジングを有している。特にゾーン４〜６のハウジングは、モジュール状に並列させられた、２〜２．５ｍの長さの複数のフィールド８から形成されている。ゾーン４〜６はその長さに関して、すなわち、フィールド８の数に関して互いに異なっていてよい。一般的に低温ゾーン６は両高温ゾーン４，５よりも長く寸法設定されている。各ゾーン３〜７は、乾燥空気を供給しかつ導出するための装置を備えている。この装置を以下に詳しく説明する。この装置は、図１に矢印によってシンボリックに示した空気・熱技術的なシステムに接続されている。このシステムは、当業者に周知の形式で設計されており、これによって、乾燥空気が個々の各ゾーンに、乾燥経過に相当する温度、湿度および速度で個別に供給される。特にゾーン４〜６の内部では、乾燥空気が、あとで図２につき詳しく説明するように、通走方向２に対して平行に、しかも、第１の高温ゾーン４では向流で流れ、第２の高温ゾーン５ならびに低温ゾーン６では並流で流れる。両高温ゾーン４，５には、２００℃〜３００℃の温度を伴った乾燥空気が供給され、低温ゾーン６には、いずれにせよ明らかに２００℃未満であり、１００℃未満であってすらよい温度を伴った乾燥空気が供給される。前乾燥ゾーン３と冷却ゾーン７とは、たとえばノズル通気装置を装備していてよく、これによって、処理空気が鉛直な噴流で石膏プラスタボードに吹き付けられる。ゾーン２，７と本発明は無関係である。
【００１８】
図２に示したように、通走方向２で見て、第１の高温ゾーン４の後方の端部には、乾燥空気を供給するためのノズル装置９が位置している。このノズル装置９は、フラットなプレート状の幾つかのノズル１０から成っている。これらのノズル１０はスタック状に、しかし、中間室を備えて重なり合って配置されている。一番上側のノズル１０は一番上側のローラコンベヤ１の上方に位置しており、一番下側のノズル１０は一番下側のローラコンベヤ１の下方に位置しており、残りのノズル１０は個々のローラコンベヤ１の間に設けられている。ノズル１０は長手方向でほぼ２つのフィールド８にわたって延びている。横方向での寸法は、ローラコンベヤ１の幅よりも僅かに大きく設定されている。各ノズル１０は両側でスリット１１を介して、それぞれ１つの分配縦孔に接続されている。この分配縦孔は図面に見ることはできない。内部では、各ノズル１０が分離壁１２によって鏡像対称的な２つの半部に分割されている。両半部内には案内薄板１３が配置されている。この案内薄板１３は、矢印１４により通走方向２に対して横方向で流入する乾燥空気を９０゜だけ変向させるので、この乾燥空気は端面側のスリット状の開口１５を通って、通走する石膏プラスタボード１６に対して逆方向で高温ゾーン４を通流する。こうして、石膏プラスタボード１６が各階層でその上面だけでなく下面も乾燥空気によって擦過される。高温ゾーン４の前方の端部にはノズル装置１７が位置している。このノズル装置１７はノズル装置９に構造的にほぼ合致している。ノズル装置１７は、矢印１８によってシンボリックに示したように、廃空気を側方の集合縦孔（図示せず）に導出する。
【００１９】
個々のローラコンベヤ１の間ならびに一番上側のローラコンベヤ１の上方および一番下側のローラコンベヤ１の下方には、ノズル装置９，１７を収容するフィールドを除く全てのフィールド８に水平な板１９が配置されている。この板１９はほぼローラコンベヤ１の幅にわたって延びている。縁部過剰乾燥を回避するためには、板１９を幾分狭幅に寸法設定することが有利となり得る。板１９は側方の支持構造体に固定されている。この支持構造体には、ローラコンベヤ１の支承部も取り付けられている。板１９の長さ、すなわち、通走方向２での寸法は、１つのフィールド８の長さよりも僅かに短く設定されている。したがって、各階層では、隣接したフィールド８の両板１９の間に、長さに比べて比較的狭幅のギャップ２０が位置している。個々の階層のギャップ２０は正確に重なり合って位置しているので、乾燥器の清浄化時に、板１９に堆積したダストがギャップ２０を通って底部に落下することができる。
【００２０】
板１９は被覆層を備えている。この被覆層は、赤外スペクトルの、乾燥器の運転パラメータに相当する領域に１に近い放出係数を有している。これは、たとえば白色の加熱体ラッカにも当てはまる。この加熱体ラッカは、当然ながら、視覚的な波長領域に著しく低い放出係数を有している。
【００２１】
第２の高温ゾーン５は相応に形成されているので、したがって、説明しないことにする。
【００２２】
低温ゾーン６は、長さは別にして、構造的に高温ゾーン４，５にほぼ合致していてよい。しかし、板１９は、すでに上述したように、低温ゾーン６に一般的に、比較的高いコストによって購（あがな）われた僅かな効率しかもたらさないので、本発明の有利な構成では、低温ゾーン６にこのような形式の板は設けられていない。板１９の代わりに、上述したドイツ連邦共和国特許第４３２６８７７号明細書の範例により熱交換器を組み込むことができる。この熱交換器は両高温ゾーン４，５の廃空気によって通流されている。
【００２３】
図３に示した板１９ａは波形薄板である。この波形薄板の波頭は通走方向２に対して平行に配置されている。波形薄板の代わりに、波形石綿スレートまたはこれに類するものが使用されてもよい。
【００２４】
図４に示した板１９ｂは台形薄板、すなわち、通走方向２に対して平行に方向付けられた台形に類似のエンボス加工部を備えた薄板である。
【００２５】
図５に示した板１９ｃは平らな薄板または石綿セメント板である。
【００２６】
図６に示した板１９ｄは、互いに密に結合された平行な複数のＵ形材から形成されている。これらのＵ形材は通走方向２に対して平行に方向付けられている。
【００２７】
図７に示した板１９ｅはマット２１である。このマット２１はフレーム２２内に張設されている。マット２１は耐熱性の繊維、たとえば炭素繊維から成っている。
【００２８】
図８に示した板１９ｆは、密接して相並んで位置する、端部で開放した平行な複数の管から形成されている。これらの管の軸線は通走方向に対して平行に方向付けられている。
【図面の簡単な説明】
【００２９】
【図１】石膏プラスタボードを乾燥させるための装置の概略図である。
【００３０】
【図２】一方の高温ゾーンの内部の斜視図である。
【００３１】
【図３】本発明により組み込まれた板の第１実施例を示す図である。
【００３２】
【図４】本発明により組み込まれた板の第２実施例を示す図である。
【００３３】
【図５】本発明により組み込まれた板の第３実施例を示す図である。
【００３４】
【図６】本発明により組み込まれた板の第４実施例を示す図である。
【００３５】
【図７】本発明により組み込まれた板の第５実施例を示す図である。
【００３６】
【図８】本発明により組み込まれた板の第６実施例を示す図である。
【符号の説明】
【００３７】
１  ローラコンベヤ、  ２  通走方向、  ３  前乾燥ゾーン、  ４  高温ゾーン、  ５  高温ゾーン、  ６  低温ゾーン、  ７  冷却ゾーン、  ８  フィールド、  ９  ノズル装置、  １０  ノズル、  １１  スリット、  １２  分離壁、  １３  案内薄板、  １４  矢印、  １５  開口、  １６  石膏プラスタボード、  １７  ノズル装置、  １８  矢印、  １９，１９ａ，１９ｂ，１９ｃ，１９ｄ，１９ｅ，１９ｆ  板、  ２０  ギャップ
【国際公開パンフレット】
2005503279.tif 000003
2005503279.tif 000004
2005503279.tif 000005
2005503279.tif 000006
2005503279.tif 000007
2005503279.tif 000008
2005503279.tif 000009
2005503279.tif 000010
2005503279.tif 000011
2005503279.tif 000012
2005503279.tif 000013
2005503279.tif 000014
2005503279.tif 000015
2005503279.tif 000016
2005503279.tif 000017
2005503279.tif 000018
【国際調査報告】
2005503279.tif 000019
2005503279.tif 000020
2005503279.tif 000021
2005503279.tif 000022
2005503279.tif 000023
2005503279.tif 000024